(57)【要約】案内放送する使用環境に応じた木目細やかな音量調整ができ、音量調整作業を容易、かつ効率良く行うことができるエレベータの自動放送装置を得る。  音量調整のための所定の条件を設定するための音量調整設定手段と、設定された条件に応じた制御コードを出力して、エレベータの運転モードを音量調整完了するまで音量調整運転に設定すると共に、設定された条件に応じた音量コードを出力する制御手段と、音量コードに応じた音量変化量を表示する音量変化量表示手段とを備えると共に、放送装置に、メッセージの種類やタイミングに応じた音量データを格納した音量データ記憶手段を備え、放送装置は、制御手段からの制御コード及び音量コードに応じた音量データ記憶手段に格納された音量データに基づいてメッセージの音量を変化させる。
2006006204.tif 000002
【特許請求の範囲】
【請求項１】
エレベータの運転状況に応じたメッセージを放送する放送装置を備えたエレベータの自動放送装置において、
音量調整のための所定の条件を設定するための音量調整設定手段と、
前記音量調整設定手段により設定された条件に応じた制御コードを出力して、エレベータの運転モードを音量調整完了するまで音量調整運転に設定すると共に、前記音量調整設定手段により設定された条件に応じた音量コードを出力する制御手段と、
前記制御手段から出力される音量コードに応じた音量変化量を表示する音量変化量表示手段と
を備えると共に、
前記放送装置に、メッセージの種類やタイミングに応じた音量データを格納した音量データ記憶手段を備え、
前記放送装置は、前記制御手段からの制御コード及び音量コードに応じた前記音量データ記憶手段に格納された音量データに基づいてメッセージの音量を変化させる
ことを特徴とするエレベータの自動放送装置。
【請求項２】
請求項１に記載のエレベータの自動放送装置において、
前記音量調整設定手段は、複数の釦を備えたかご操作盤で構成され、釦操作により音量調整のための所定の条件が設定されると共に、
前記音量変化量表示手段は、前記かご操作盤のインジケータである
ことを特徴とするエレベータの自動放送装置。
【請求項３】
請求項１に記載のエレベータの自動放送装置において、
前記音量調整設定手段は、複数の釦を備えた乗場操作盤で構成され、釦操作により音量調整のための所定の条件が設定されると共に、
前記音量変化量表示手段は、前記乗場操作盤のインジケータである
ことを特徴とするエレベータの自動放送装置。
【請求項４】
請求項１ないし３のいずれか１項に記載のエレベータの自動放送装置において、
前記音量データ記憶手段は、少なくともアナウンスの内容、アナウンスの対象者、アナウンスの時間帯に応じて、異なる複数の音量データを予め格納した
ことを特徴とするエレベータの自動放送装置。
【発明の詳細な説明】
【技術分野】
【０００１】  この発明は、エレベータの自動放送装置に関するもので、特に、アナウンスの音量を調整するためのエレベータの自動放送装置に関するものである。
【背景技術】
【０００２】  従来、かご内の操作スイッチで音声を増幅する増幅器のゲインを調整することでアナウンスの音量を調整するエレベータの自動放送装置がある（例えば、特許文献１参照）。
【特許文献１】特開平５−１１６８５３号公報
【発明の開示】
【発明が解決しようとする課題】
【０００３】  しかしながら、上述したエレベータの自動放送装置は、かご内の操作スイッチや釦を操作することにより所定の条件を成立させて増幅器のゲインを変化させるように構成したものだが、全てのメッセージが同じ音量にしか調整できないため、メッセージの種類や案内放送する使用環境に応じた木目細やかな音量調整ができないという問題がある。【０００４】  この発明は、このような問題を解決するためになされたもので、案内放送する使用環境に応じた木目細やかな音量調整ができ、音量調整作業を容易、かつ効率良く行うことができるエレベータの自動放送装置を得ることを目的とする。
【課題を解決するための手段】
【０００５】  この発明に係るエレベータの自動放送装置は、エレベータの運転状況に応じたメッセージを放送する放送装置を備えたエレベータの自動放送装置において、音量調整のための所定の条件を設定するための音量調整設定手段と、前記音量調整設定手段により設定された条件に応じた制御コードを出力して、エレベータの運転モードを音量調整完了するまで音量調整運転に設定すると共に、前記音量調整設定手段により設定された条件に応じた音量コードを出力する制御手段と、前記制御手段から出力される音量コードに応じた音量変化量を表示する音量変化量表示手段とを備えると共に、前記放送装置に、メッセージの種類やタイミングに応じた音量データを格納した音量データ記憶手段を備え、前記放送装置は、前記制御手段からの制御コード及び音量コードに応じた前記音量データ記憶手段に格納された音量データに基づいてメッセージの音量を変化させることを特徴とする。
【発明の効果】
【０００６】  この発明によれば、案内放送する使用環境に応じた木目細やかな音量調整ができ、音量調整作業を容易、かつ効率良く行うことができる。
【図面の簡単な説明】
【０００７】［図１］この発明の実施の形態１に係るエレベータの自動放送装置の構成を示すブロック図である。
［図２］図１に示す運転制御装置１から放送装置２１に出力される音量調整を行うための制御コードの内容を示す図である。
［図３］図１に示す運転制御装置１から放送装置２１に出力される音量調整時の音量変化量を指定するための音量コードの内容を示す図である。
［図４］図１に示す放送装置２１の音量データメモリ２４の内容を示す図である。
［図５］図１に示す放送装置２１が放送するメッセージと音量データの関係を示す図である。
［図６］図１に示す運転制御装置１により放送装置２１の音量調整を行う場合の動作フローチャートである。
［図７］図１に示す放送装置２１による音量調整時の動作を示すフローチャートである。
［図８］この発明の実施の形態２に係るエレベータの自動放送装置の構成を示すブロック図である。
［図９］図８に示す乗場に設置した放送装置２１が放送するメッセージと音量データの関係を示す図である。
【発明を実施するための最良の形態】
【０００８】  実施の形態１．
図１は、この発明の実施の形態１に係るエレベータの自動放送装置の構成を示すブロック図である。エレベータ全体の運転動作及び放送の音量制御を行うための制御手段としての運転制御装置１は、演算およびデータ処理を行うＣＰＵ２と、プログラムを内蔵したプログラムメモリ３と、演算結果などを一時的に格納するデータメモリ４と、外部機器との間の信号の入出力を行う入出力インターフェース５と、それらを接続するバス６とから構成されている。この運転制御装置１は、伝送路１０を介してかご操作盤１１及び放送装置２１との間でデータ伝送を行うようになされている。【０００９】  前記かご操作盤１１は、かご内に設けられ、かごの運転方向を表示する方向灯１２と、かごの現在位置を表示する階床表示器１３と、行先階を登録する行先釦１４と、戸開釦１５と、戸閉釦１６とから構成されている。ここで、釦１４−１６は、音量調整のための所定の条件を成立させる音量調整設定手段を構成する。また、前記方向灯１２と前記階床表示器１３とをまとめてインジケータと呼び、このインジケータを音量変化量を表示するものとして用いる。【００１０】  前記放送装置２１は、エレベータの運転に応じたメッセージをかご内に設けられたスピーカ３０を介して放送するためのものであり、演算およびデータ処理を行うＣＰＵ２２と、プログラムを内蔵したプログラムメモリ２３と、メッセージの種類やタイミングに応じた音量データが格納されている音量データ記憶手段としての音量データメモリ２４と、前記運転制御装置１から出力されるデータを入力する入力インターフェース２５と、音声データや擬音データを格納した音声データメモリ２６と、音声データメモリ２６から読み出された音声データをアナログ信号に変換する音声合成部２７と、音量データメモリ２４の値に応じて音量を増幅するためのゲインを可変する可変増幅部２８と、それらを接続するバス２９とから構成されている。【００１１】  なお、前記音量データメモリ２４には、ＥＥＰＲＯＭなどの不揮発性メモリもしくは電池バックアップされたＲＡＭなどの、電源が遮断されてもデータが保持できるメモリが適用されており、可変増幅部２８にはＣＰＵ２２で制御できる電子ボリュームが適用されている。【００１２】  図２は、運転制御装置１から放送装置２１に出力される音量調整を行うための制御コードの内容を示す図である。例えば、制御コード「ＣＣｄｃｇ」のコード番号は「０００１  ０００１」であり、その内容は「昼間戸閉時通常アナウンス個別音量調整指令」である。ここで、個別音量調整指令は、アナウンス内容（通常アナウンス／緊急アナウンス／防犯ブザー）、放送対象（戸閉時の放送でかご内乗客が対象／戸開時の放送でかご内乗客および乗場待ち客が対象）、時間帯（昼間／夜間）に応じて個別に調整ができる構成にしている。【００１３】  また、図３は、運転制御装置１から放送装置２１に出力される音量調整時の音量変化量を指定するための音量コードの内容を示す図である。例えば、音量コード「Ｖ１ｕ」のコード番号は「１０００  ０００１」であり、その内容は「１ｄＢ増加指令」である。【００１４】  また、図４は、放送装置２１の音量データメモリ２４の内容を示す図である。例えば、音��データ「Ｍｄｃｇ」の内容は「昼間戸閉時通常アナウンス音量データ」である。【００１５】  さらに、図５は、放送装置２１が放送するメッセージと音量データの関係を示す図である。例えば、運転制御装置１から放送装置２１に出力される放送コード「Ｍ１」コード番号「１０００  ０００１」に対応するメッセージは「行先釦を押してください。」であり、このメッセージは音声データとして放送装置２１の音声データメモリ２６に予め格納されているものである。このメッセージは時間帯により音量データ「Ｍｄｃｇ」または「Ｍｎｃｇ」で放送されることを示している。【００１６】  図２と図３及び図５において、制御コード、音量コード及び放送コードは、運転制御装置１から伝送路１０を介して放送装置２１へ出力される。制御コードと放送コードは、コード番号が重複しないように割付されており、制御コードと音量コードもコード番号が重複しないように割付されており、放送コードと音量コードはコード番号が重複してもよい割付になっている。【００１７】  また、図５に示すように、放送装置２１は、アナウンス内容（通常アナウンス／緊急アナウンス／防犯ブザー）や、放送対象（戸閉時の放送でかご内乗客が対象／戸開時の放送でかご内乗客および乗場待ち客が対象）や、時間帯（昼間／夜間）により、メッセージ毎に最適な音量を選択する構成になっている。なお、時間帯（昼間／夜間）の選択は、図示しないが、運転制御装置１あるいは放送装置２１に内蔵しているタイマにより実現している。【００１８】  次に、実施の形態１に係るエレベータの自動放送装置の動作について説明する。
まず、運転制御装置１により放送装置２１の音量調整を行う場合の動作を図６に示すフローチャートを参照して説明する。図６において、ステップＳ１で音量調整を行うための所定の条件が成立したかを判定する。所定の条件は、かご操作盤１１に組み込まれている行先釦１４、戸開釦１５、戸閉釦１６を予め定めた条件で操作し、その信号を伝送路１０を経由して運転制御装置１でデータ処理することにより発生させる。例えば、戸開釦１５と戸閉釦１６とを同時に１０秒以上連続で押し続けた後に戸閉釦１５を１０秒以上連続で押し続ければ、一括調整モードを選択したことと判定し、戸開釦１５と戸閉釦１６とを同時に１０秒以上連続で押し続けた後に特定の行先釦１４を１０秒以上連続で押し続ければ、個別調整モードを選択したことと判定する。【００１９】  ここで、一括調整モードとは、ある特定の条件の音量を調整し、それ以外の条件の音量はその調整した値を基に算出することにより調整するモードを指す。例えば、図５に示す音量データ「Ｍｄｃｇ」の昼間戸閉時通常アナウンス音量データのみを調整し、それ以外の音量データは音量データ「Ｍｄｃｇ」の値を基に算出し調整するモードである。他方、個別調整モードとは、それぞれの条件の音量を個別に調整するモードを指し、例えば、図５に示す音量データ「Ｍｄｃｇ」、「Ｍｃｎｇ」などについて個別に調整するモードである。一括調整モードを指定する条件が成立した場合はステップＳ２に進み、個別調整モードを指定する条件が成立した場合はステップＳ１１に進む。【００２０】  ステップＳ２では、放送装置２１の動作を一括調整モードに切り換えるために、図２に示す制御コード「ＣＣａ」を放送装置２１に出力するとともに、かご内で釦操作している作業員に一括調整モードに切り換わったことを確認できるように、かご操作盤１１のインジケータに所定の表示を行うための表示コードを出力する。例えば、階床表示器１３に特別の記号を点滅表示させるための表示コードをかご操作盤１１に出力する。また、エレベータの動作を通常運転から音量調整運転に切り換えて、かご釦や乗場釦などに応答しないようにするとともに、図示しないドア装置に戸閉信号を出力しドアを閉める。これら一連の動作により、昼間戸閉時通常アナウンス音量データを調整する準備が完了したことになる。【００２１】  ステップＳ３では、音量を増加または減少させるための所定の条件が成立したかを判断する。所定の条件は、かご操作盤１１に組み込まれている行先釦１４、戸開釦１５、戸閉釦１６を予め定めた条件で操作し、その信号を伝送路１０を経由して運転制御装置１でデータ処理することにより発生させる。例えば、戸開釦を１回押せば音量を１ｄＢ（デシベル）増加させることと判定し、戸閉釦を１回押せば音量を１ｄＢ減少させることと判定する。あるいは、階床釦の操作と組み合わせて、階床釦の数字と同じ量だけ増加または減少させるように構成しても良い。例えば、５階の釦を押した後戸閉釦を１回押せば音量を５ｄＢ増加させるようにしても良い。【００２２】  音量を増加または減少させるための所定の条件が成立した場合は、ステップＳ４に進み、作業員の釦操作により指定された図３に示す音量コードを放送装置２１に出力す���とともに、かご内で釦操作している作業員に音量変化量が確認できるように、かご操作盤１１のインジケータに所定の表示を行うための表示コードを出力する。例えば、方向灯１２に音量の増加減少を上下の矢印で表示させたり、階床表示器１３に音量変化量を表示させるための表示コードをかご操作盤１１に出力する。例えば音量を５ｄＢ増加させる設定になっていた場合は、方向灯１２は上矢印を表示し階床表示器１３は「５」を表示させるようにする。【００２３】  ステップＳ５では、音量調整を完了するための所定の条件が成立したかを判断する。所定の条件は、かご操作盤１１に組み込まれている行先釦１４、戸開釦１５、戸閉釦１６を予め定めた条件で操作し、その信号を伝送路１０を経由して運転制御装置１でデータ処理することにより発生させる。例えば、戸閉釦１６を１０秒以上連続で押し続けた場合に音量調整の完了と判定する。【００２４】  音量調整の完了を指定する所定の条件が成立した場合は、ステップＳ６に進み、放送装置２１の動作を通常モードに切り換えるために、図２に示す制御コード「ＣＤ」を放送装置２１に出力するとともに、かご内で釦操作している作業員に通常モードに切り換わったことを確認できるように、かご操作盤１１のインジケータに所定の表示を行うための表示コードを出力する。例えば、階床表示器１３に特別の記号を点滅表示させるための表示コードをかご操作盤１１に出力する。また、エレベータの動作を音量調整運転から通常運転に切り換えて、通常の運転サービスに戻す。【００２５】  なお、個別調整モードで音量調整するためのステップＳ１１からステップＳ１５までの処理において、一括調整モードでの処理と異なるのは、図２に示す制御コード「ＣＣｄｃｇ」から「ＣＣｎｂ」の内、特定の制御コードを指定できる点である。例えば、戸開釦１５と戸閉釦１６とを同時に１０秒以上連続で押し続けた後に行先釦１４の１階の釦を１０秒以上連続で押し続ければ、昼間戸閉時通常アナウンス個別音量指令「ＣＣｄｃｇ」を選択したと判定し、戸開釦１５と戸閉釦１６とを同時に１０秒以上連続で押し続けた後に行先釦１４の３階の釦を１０秒以上連続で押し続ければ、昼間戸開時通常アナウンス個別音量指令「ＣＣｄｏｇ」を選択したと判定するように構成した。【００２６】  また、ステップＳ１１では、音量調整する対象にあわせて戸開閉制御をすることにし、例えば、制御コード「ＣＣｄｏｇ」の場合は、図示しないドア装置に戸開信号を出力しドアを開いて音量調整できるようにした。また、ステップ１４にあるように、ひとつの音量データの音量調整が完了した後、別の音量データの音量調整が連続的にできるように構成した点が、一括調整モードでの処理と異なる点である。【００２７】  次に、放送装置２１による音量調整時の動作を図７に示すフローチャートを参照して説明する。図７において、ステップＳ２１では、運転制御装置１から出力される音量調整指令を入力したかを判定する。これは、図６のステップＳ２もしくはステップＳ１１に対応した動作である。一括調整モードを指定する制御コード「ＣＣａ」を入力した場合は、ステップＳ２２に進み、昼間戸閉時通常アナウンス音量を確認するためのサンプルメッセージを連続的に放送する。例えば、図５に示す放送コード「Ｍ１」に対応するメッセージを連続的に放送する。【００２８】  ステップＳ２３では、運転制御装置１から出力される音量コードを入力したかを判定する。これは、図６のステップＳ４に対応した動作である。【００２９】  ステップＳ２４では、昼間戸閉時通常アナウンス音量データを、音量コードに対応した音量データに変更するとともに、その音量データを可変増幅部に出力し変更された音量で放送する。この音量での放送をかご内の作業者が確認することで、更なる音量調整が必要かどうかを判断できる。【００３０】  ステップＳ２５では、運転制御装置１から出力される音量調整無効指令を入力したかを判定する。これは、図６のステップＳ６に対応した動作である。音量調整無効指令を入力すれば、ステップＳ２６に進み、調整された昼間戸閉時通常アナウンス音量データ「Ｍｄｃｇ」を基準に、それ以外の音量データ「Ｍｎｃｇ」から「Ｍｎｂ」までを演算によりそれぞれ算出し値を変更する。例えば、「Ｍｎｃｇ」は、「Ｍｄｃｇ」とは時間帯が異なる音量データなので、夜間での音量データ「Ｍｎｃｇ」は、昼間での音量データである「Ｍｄｃｇ」の３／５に設定するなどの演算を行う。【００３１】  さらに、ステップＳ２７では、放送中のサンプルメッセージを中止し、一括調整モードの一連の動作が完了する。【００３２】  なお、個別調整モードにおいて、音量調整するためのステップＳ３１からステップＳ３５までの処理で一括調整モードでの処理と異なるのは、図４に示す音量データ「Ｍｄｃｇ」から「Ｍｎｂ」の内、特定の音量データを変更できる点である。また、ステップ３４にあるように、ひとつの音量データの音量調整が完了した後、別の音量データの音量調整が連続的にできるように構成した点が、一括調整モードでの処理と異なる点である。【００３３】  上述したように、実施の形態１によれば、アナウンス内容（通常アナウンス／緊急アナウンス／防犯ブザー）や、放送対象（戸閉時の放送でかご内乗客が対象／戸開時の放送でかご内乗客および乗場待ち客が対象）や、時間帯（昼間／夜間）に応じて個別に音量調整ができるようになり、案内放送する使用環境に応じた木目細やかな音量調整ができる。【００３４】  また、かご操作盤の釦操作により音量調整できるとともに、音量調整の際の過程をかご内のインジケータに表示するようにしたので、作業者は容易にまた効率良く音量調整作業を行うことができる。【００３５】  実施の形態２．
図８は、この発明の実施の形態２に係るエレベータの自動放送装置の構成を示すブロック図である。図８に示す実施の形態２において、図１に示す実施の形態１に係る構成と同一部分は同一符号を付しその説明は省略する。図１に示す実施の形態１に係る構成と異なる構成は、図１に示すかご操作盤１１を乗場操作盤４１とし、放送装置２１を乗場に設置する構成とした点である。【００３６】  すなわち、この実施の形態２において、乗場操作盤４１は、かごの運転方向を表示する方向灯４２と、かごの現在位置を表示する階床表示器４３と、上方方向押釦４４と、下降方向押釦４５とから構成されており、ここで、釦４４−４５は、音量調整のための所定の条件を成立させる音量調整設定手段を構成する。また、前記方向灯４２と前記階床表示器４３とをまとめてインジケータと呼び、このインジケータを音量変化量を表示するものとして用いる。【００３７】  また、図９は、乗場に設置した放送装置２１が放送するメッセージと音量データの関係を示す図である。
図９において、乗場に設置した放送装置２１は、アナウンス内容（通常アナウンス／緊急アナウンス／防犯ブザー）や、放送対象（戸閉時の放送で乗場待ち客が対象／戸開時の放送で乗場待ち客およびかご内乗客が対象）や、時間帯（昼間／夜間）により、メッセージ毎に最適な音量を選択する構成になっている。なお、時間帯（昼間／夜間）の選択は、図示しないが、運転制御装置１あるいは放送装置２１に内蔵しているタイマにより実現している。【００３８】  この実施の形態２に係るエレベータの自動放送装置においても、図６及び図７に示す実施の形態１に係るフローチャートと同様にして動作する。異なるのは、図６において、かご操作盤の釦操作が乗場操作盤の釦操作に変更になる点であり、それ以外は基本的に同じである。【００３９】  従って、実施の形態２によっても、アナウンス内容（通常アナウンス／緊急アナウンス／防犯ブザー）や、放送対象（戸閉時の放送で乗場待ち客が対象／戸開時の放送でかご内乗客および乗場待ち客が対象）や、時間帯（昼間／夜間）に応じて個別に音量調整ができるようになり、案内放送する使用環境に応じた木目細やかな音量調整ができる。【００４０】  また、乗場操作盤の釦操作により音量調整できるとともに、音量調整の際の過程をかご内のインジケータに表示するようにしたので、作業者は容易にまた効率良く音量調整作業を行うことができる。
産業上の利用の可能性【００４１】  この発明によれば、アナウンスの内容や時間帯などに応じて個別に音量調整ができるようになり、案内放送する使用環境に応じた木目細やかな音量調整ができるエレベータの自動放送装置を得ることができる。
【図１】
2006006204.tif 000003
【図２】
2006006204.tif 000004
【図３】
2006006204.tif 000005
【図４】
2006006204.tif 000006
【図５】
2006006204.tif 000007
【図６】
2006006204.tif 000008
【図７】
2006006204.tif 000009
【図８】
2006006204.tif 000010
【図９】
2006006204.tif 000011
【国際調査報告】
2006006204.tif 000012
2006006204.tif 000013
2006006204.tif 000014
2006006204.tif 000015